(57)【要約】      （修正有）【課題】２ステップの簡易な動作で開封が可能であると同時に、人間の手や手首の自然な動作により開封できるため、開封の習熟度に依らず、内封された海苔を破損しにくい開封動作を可能とするおにぎりの包装体を提供する。【解決手段】外装フィルム１と、２枚の内装フィルム２、３とを備え、それらの間にシート状の食材を内包し、開封時に用いる２本のカットテープ１１Ｌ、１１Ｒを終端において外装フィルム１および内装フィルム２、３と熱圧着等により結合させる。【選択図】図２
0003196761.tif 000002
【実用新案登録請求の範囲】
【請求項１】
長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近に２本のカットテープが上記外装フィルムの長手方向の一端から他端に渡って貼着され、
上記外装フィルムの長手方向の一端において、上記外装フィルムと上記第一の内装フィルムとが上記外装フィルムの短手方向の一端から上記２本のカットテープのいずれにも達しない範囲で結合され、
上記外装フィルムの長手方向の一端において、上記外装フィルムと上記第二の内装フィルムとが上記外装フィルムの短手方向の他端から上記２本のカットテープのいずれにも達しない範囲で結合され、
上記外装フィルムの長手方向の他端において、上記外装フィルムと上記第一の内装フィルムとが上記外装フィルムの短手方向の一端から少なくとも近接する１本の上記カットテープまで到達する範囲で結合され、
上記外装フィルムの長手方向の他端において、上記外装フィルムと上記第二の内装フィルムとが上記外装フィルムの短手方向の他端から上記２本のカットテープのいずれにも達しない範囲で結合される
ことを特徴とするおにぎりの包装体。
【請求項２】
長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近に２本のカットテープが上記外装フィルムの長手方向の一端から他端に渡って貼着され、
上記外装フィルムの短手方向の一端において、上記外装フィルムと上記第一の内装フィルムとが結合され、
上記外装フィルムの短手方向の他端において、上記外装フィルムと上記第二の内装フィルムとが結合され、
上記外装フィルムの長手方向の他端において、上記外装フィルムと上記第一の内装フィルムとが上記外装フィルムの短手方向の一端から少なくとも近接する１本の上記カットテープまで到達する範囲で結合され、
上記外装フィルムの長手方向の他端において、上記外装フィルムと上記第二の内装フィルムとが上記外装フィルムの短手方向の他端から上記２本のカットテープのいずれにも達しない範囲で結合される
ことを特徴とするおにぎりの包装体。
【請求項３】
長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近にカットテープが上記外装フィルムの長手方向の一端から他端に渡って貼着され、
上記外装フィルムの長手方向の一端において、上記外装フィルムと第一の内装フィルムとが、上記外装フィルムの短手方向の一端から上記カットテープに達しない範囲で結合され、
上記外装フィルムの長手方向の一端において、上記外装フィルムと第二の内装フィルムとが、上記外装フィルムの短手方向の他端から上記カットテープに達しない範囲で結合され、
上記外装フィルムの長手方向の他端において、上記外装フィルムと上記第一の内装フィルムとが、上記外装フィルムの短手方向の一端から上記カットテープまで結合され、
上記外装フィルムの長手方向の他端において、上記外装フィルムと上記第二の内装フィルムとが、上記外装フィルムの短手方向の他端から上記カットテープに達しない範囲で結合される
ことを特徴とするおにぎりの包装体。
【請求項４】
長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近にカットテープが上記外装フィルムの長手方向の一端から他端に渡って貼着され、
上記外装フィルムの短手方向の一端において、上記外装フィルムと上記第一の内装フィルムとが結合され、
上記外装フィルムの短手方向の他端において、上記外装フィルムと上記第二の内装フィルムとが結合され、
上記外装フィルムの長手方向の他端において、上記外装フィルムと上記第一の内装フィルムとが、上記外装フィルムの短手方向の一端から上記カットテープまで結合され、
上記外装フィルムの長手方向の他端において、上記外装フィルムと上記第二の内装フィルムとが、上記外装フィルムの短手方向の他端から上記カットテープに達しない範囲で結合される
ことを特徴とするおにぎりの包装体。
【請求項５】
上記外装フィルムの短手方向の一端において上記外装フィルムと上記第一の内装フィルムとが結合され、または／および、上記外装フィルムの短手方向の他端において上記外装フィルムと上記第二の内装フィルムとが結合される
ことを特徴とする請求項１または３に記載のおにぎりの包装体。
【請求項６】
上記外装フィルムの長手方向の一端において、上記外装フィルムと上記第一の内装フィルムとが、上記外装フィルムの短手方向の一端から上記２本のカットテープのいずれにも達しない範囲で結合され、
上記外装フィルムの長手方向の一端において、上記外装フィルムと上記第二の内装フィルムとが、上記外装フィルムの短手方向の他端から上記２本のカットテープのいずれにも達しない範囲で結合される
ことを特徴とする請求項２に記載のおにぎりの包装体。
【請求項７】
上記外装フィルムの長手方向の一端において、上記外装フィルムと第一の内装フィルムとが、上記外装フィルムの短手方向の一端から上記カットテープに達しない範囲で結合され、
上記外装フィルムの長手方向の一端において、上記外装フィルムと第二の内装フィルムとが、上記外装フィルムの短手方向の他端から上記カットテープに達しない範囲で結合される
ことを特徴とする請求項４に記載のおにぎりの包装体。
【請求項８】
上記外装フィルムの長手方向の他端において、上記カットテープの近傍であって、上記第一の内装フィルムと結合していない側に切り込みを設ける
ことを特徴とする請求項１から７のいずれかに記載のおにぎりの包装体。
【請求項９】
四隅が除去された
ことを特徴とする請求項１から８のいずれかに記載のおにぎりの包装体。
【請求項１０】
請求項１から９のいずれかに記載のおにぎりの包装体と、
当該おにぎりの包装体に適合する大きさのおにぎりを作製するための型と
を備えたことを特徴とする包装おにぎり作製セット。
【考案の詳細な説明】
【技術分野】
【０００１】
本考案は、おにぎりの包装体、特に簡単な動作で開封可能な包装体に関するものである。また、それを用いた包装おにぎり作製セットに関するものである。
【背景技術】
【０００２】
コンビニ等で販売されているおにぎりには、おにぎりと海苔が直接接触せず、開封後におにぎりと海苔を接触させることで、海苔が湿らず、パリパリの海苔の食感を楽しめるようにしたものがある。
【０００３】
例えば、特許文献１において開示されているおにぎりの包装体は、外装フィルムと２枚の内装フィルムからなり、これらの間に海苔を挟み込むことで、おにぎりと海苔が接触しない構成となっている。２枚の内装フィルムは、外装フィルムの幅の半分よりやや幅広であり、外装フィルムの左端に一方の内装フィルムの左端を熱融着固定し、右端に他方の内装フィルムの右端を熱融着固定している。そして、２枚の内装フィルムが外装フィルムの中央部で重なり合うようになっている。そして、外装フィルムの中央部には、切断帯体が設けられている。
【０００４】
この包装体を使用しておにぎりを包装する際には、内装フィルム上に三角おにぎりを配置する。配置位置は、包装体の長手方向（上下方向）の上部、幅方向の中央部であり、三角おにぎりの頂点を上方向に向けて配置する。そして、包装体の下半分を折り曲げて、おにぎりの上部に被せ、且つおにぎりの形状に沿って折り込む。次に、包装体の最上部をおにぎりの形状に沿って、包装体の下半分部を上に折り込み、熱融着等で固定する。さらに、ラベルを貼り付けることでより強固な包装が完成する。
【０００５】
開封の際には、おにぎりを例えば左手に持ち、右手で外装フィルムに設けられた切断帯体を引き切ることで、包装体を左右に２分割する。次に、右手で右半分の包装体を取り去る。最後に、左半分の包装体を取り去るという３ステップ動作で開封していた。
【０００６】
さらに簡単な動作により、開封できるおにぎりの包装体も提案されている。例えば、特許文献２において開示されている包装体は、外装フィルムと２枚の内装フィルムとを備え、それらの間にシート状の食材を内包し、開封時に用いる第一のカットテープは、外装フィルムの長手方向の一端から他端に渡って設けられ、第二のカットテープは、外装フィルムの長手方向の一端から他端に至ることのない所定個所まで設けられている。この構成によって、２ステップの簡易な動作で開封が可能であると同時に、人間の手や手首の自然な動作により開封できるため、開封の習熟度に依らず、内包された海苔等を破損しにくい開封動作を可能としている。
【先行技術文献】
【特許文献】
【０００７】
【特許文献１】実公昭６３−４０１５２号
【特許文献２】特許第５１０７４７６号
【考案の概要】
【考案が解決しようとする課題】
【０００８】
特許文献１において開示されているおにぎりの包装体の開封動作において、右手で外装フィルムに設けられた切断帯体を引き切る際には、まず、切断帯体を真下に引き、次に底面を経由して、裏面では、切断帯体を三角形の頂点まで真上に引き上げて、引き切る。この裏面における引上げ動作は、習熟しない者にとっては容易な動作ではない。すなわち、左手でおにぎりの左半分を持ち、右手で切断帯体を引き上げようとすると、真上ではなく、通常は、やや右上方向に引き上げることになる。人間の手の動作として、真上に帯体を引き上げる動作はやや不自然な手および手首の動きを伴うのに対して、やや右上に引きあげる動作は、自然な手および手首の動きで行うことが出来るためである。
【０００９】
さらに、この引上げ動作による切断帯体の動きは、包装されたおにぎりの裏面側での動きであるため、直視できず、視覚に頼らない手の感覚だけで行われる。したがって、切断帯体が真上に上がっていないことを認識することが困難であり、結果として、切断帯体をやや右上方向に引き切ることになってしまう。
【００１０】
この場合、包装体の左半分と切断帯体とが先に分離し、一方、包装体の右半分と切断帯体は分離しきらずに、三角形の頂点部分だけが繋がった状態になる。この状態で、さらに切断帯体を持ち上げて切ろうとしても、既に左半分と分離している包装体の右半分は、自由に動けるようになっているため、切断帯体に引き上げられるだけで、簡単には包装体の右半分と切断帯体とが分離しない場合がある。それだけではなく、包装体の右半分が切断帯体に引き上げられることで、内包されている海苔が引っ張られることになる。海苔の左半分は左手によって固定されているため、右半分の海苔の一部が切れたり、最悪の場合は、海苔が中央部分から切れたりしてしまうといったことが生じる。
【００１１】
特許文献２において開示されているおにぎりの包装体は、上記の問題を解決可能であり、切断帯体を包装体の右半分と分離させることなく開封を可能とすることで、より簡単な動作で開封することが出来、また、内包された海苔を破損することが生じにくいおにぎりの包装体を提供するものである。
【００１２】
ただし、特許文献２において開示されているおにぎりの包装体においては、第二のカットテープは、外装フィルムの長手方向の一端から他端に至ることのない所定個所まで設けられる。現在、実用化されているおにぎりの包装体を作製する量産装置においては、長尺状のフィルム体を巻いたロールフィルムが用いられている。このロールフィルムには、カットテープが長さ方向に渡って貼着されている。そして、ロールフィルムを所定の長さに切断することで外装フィルムが得られる。このような量産工程においては、カットテープは、外装フィルムの長手方向の一端から他端に渡って設ける必要があり、特許文献２において開示されているおにぎりの包装体のように、カットテープを外装フィルムの長手方向の途中までだけ貼着することは量産技術的に困難であった。
【課題を解決するための手段】
【００１３】
本考案に係るおにぎりの包装体は、長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近に２本のカットテープが上記外装フィルムの長手方向の一端から他端に渡って貼着され、
上記外装フィルムの長手方向の一端において、上記外装フィルムと上記第一の内装フィルムとが上記外装フィルムの短手方向の一端から上記２本のカットテープのいずれにも達しない範囲で結合され、
上記外装フィルムの長手方向の一端において、上記外装フィルムと上記第二の内装フィルムとが、上記外装フィルムの短手方向の他端から上記２本のカットテープのいずれにも達しない範囲で結合され、
上記外装フィルムの長手方向の他端において、上記外装フィルムと第一の内装フィルムとが、上記外装フィルムの短手方向の一端から少なくとも近接する１本の上記カットテープまで到達する範囲で結合され、
上記外装フィルムの長手方向の他端において、上記外装フィルムと第二の内装フィルムとが、上記外装フィルムの短手方向の他端から上記２本のカットテープのいずれにも達しない範囲で結合されることを特徴とする。
【００１４】
本考案に係るおにぎりの包装体は、長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近に２本のカットテープが上記外装フィルムの長手方向の一端から他端に渡って貼着され、
上記外装フィルムの短手方向の一端において、上記外装フィルムと上記第一の内装フィルムとが結合され、
上記外装フィルムの短手方向の他端において、上記外装フィルムと上記第二の内装フィルムとが結合され、
上記外装フィルムの長手方向の他端において、上記外装フィルムと上記第一の内装フィルムとが上記外装フィルムの短手方向の一端から少なくとも近接する１本の上記カットテープまで到達する範囲で結合され、
上記外装フィルムの長手方向の他端において、上記外装フィルムと上記第二の内装フィルムとが上記外装フィルムの短手方向の他端から上記２本のカットテープのいずれにも達しない範囲で結合されることを特徴とする。
【００１５】
また、本考案に係るおにぎりの包装体は、長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近にカットテープが上記外装フィルムの長手方向の一端から他端に渡って貼着され、
上記外装フィルムの長手方向の一端において、上記外装フィルムと上記第一の内装フィルムとが、上記外装フィルムの短手方向の一端から上記カットテープに達しない範囲で結合され、
上記外装フィルムの長手方向の一端において、上記外装フィルムと上記第二の内装フィルムとが、上記外装フィルムの短手方向の他端から上記カットテープに達しない範囲で結合され、
上記外装フィルムの長手方向の他端において、上記外装フィルムと上記第一の内装フィルムとが、上記外装フィルムの短手方向の一端からカットテープまで結合され、
上記外装フィルムの長手方向の他端において、上記外装フィルムと上記第二の内装フィルムとが、上記外装フィルムの短手方向の他端から上記カットテープに達しない範囲で結合されることを特徴とする。
【００１６】
本考案に係るおにぎりの包装体は、長方形の外装フィルムと、当該長方形の外装フィルムの長手方向長さが略同一で且つ短手方向の長さが短い第一および第二の内装フィルムとを備え、上記外装フィルムと上記２枚の内装フィルムとの間にシート状の食材を内包可能なおにぎりの包装体であって、
上記外装フィルムの短手方向の一端と上記第一の内装フィルムの短手方向の一端とが揃うように重ねられ、
上記外装フィルムの短手方向の他端と上記第二の内装フィルムの短手方向の一端とが揃うように重ねられ、
上記外装フィルムには、当該外装フィルムの短手方向の中央付近にカットテープが上記外装フィルムの長手方向の一端から他端に渡って貼着され、
上記外装フィルムの短手方向の一端において、上記外装フィルムと上記第一の内装フィルムとが結合され、
上記外装フィルムの短手方向の他端において、上記外装フィルムと上記第二の内装フィルムとが結合され、
上記外装フィルムの長手方向の他端において、上記外装フィルムと上記第一の内装フィルムとが、上記外装フィルムの短手方向の一端から上記カットテープまで結合され、
上記外装フィルムの長手方向の他端において、上記外装フィルムと上記第二の内装フィルムとが、上記外装フィルムの短手方向の他端から上記カットテープに達しない範囲で結合されることを特徴とする。
【考案の効果】
【００１７】
本考案に係るおにぎりの包装体は、前記のごとく構成されているので、２ステップの簡易な動作で開封が可能であると同時に、人間の手や手首の自然な動作により開封できるため、開封の習熟度に依らず、内封された海苔を破損しにくい開封動作を可能とするものである。さらに、カットテープを外装フィルムの長手方向の一端から他端に渡り貼着することで、現在の量産装置によっても容易に作製可能であり、製造コストの低減が可能である。
【図面の簡単な説明】
【００１８】
【図１】本考案の実施の形態１に係るおにぎりの包装体の構成品の平面図である。
【図２】本考案の実施の形態１に係るおにぎりの包装体の（ａ）平面図および（ｂ）Ａ−Ａ断面図である。
【図３】本考案の実施の形態１に係るおにぎりの包装体の局所拡大平面図である。
【図４】本考案の実施の形態１に係るおにぎりの包装体によりおにぎりを包装した際の正面図である。
【図５】本考案の実施の形態１に係るおにぎりの包装体によりおにぎりを包装した際の背面図である。
【図６】本考案の実施の形態１に係るおにぎりの包装体の切断前の外装フィルムの平面図である。
【図７】本考案の実施の形態２に係るおにぎりの包装体の構成品の平面図である。
【図８】本考案の実施の形態２に係るおにぎりの包装体の（ａ）平面図および（ｂ）Ａ−Ａ断面図である。
【図９】本考案の実施の形態２に係るおにぎりの包装体の局所拡大平面図である。
【図１０】本考案の実施の形態３に係るおにぎりの包装体の構成品の平面図である。
【図１１】本考案の実施の形態３に係るおにぎりの包装体の（ａ）平面図および（ｂ）Ａ−Ａ断面図である。
【図１２】本考案の実施の形態３に係るおにぎりの包装体の局所拡大平面図である。
【図１３】本考案の実施の形態４に係るおにぎりの包装体の（ａ）平面図および（ｂ）Ａ−Ａ断面図である。
【図１４】本考案の実施の形態４に係るおにぎりの別の包装体の（ａ）平面図および（ｂ）Ａ−Ａ断面図である。
【考案を実施するための形態】
【００１９】
実施の形態１．
以下に、本考案の実施の形態１に係るおにぎりの包装体について、図を用いて説明する。この包装体は、コンビニエンスストアー等で販売されているごはんと海苔が分離したおにぎりの包装に適したものである。
なお、以下の実施の形態は、本考案の一例であって、特に本考案をこの一例に限定するものではない。
【００２０】
まず、図１から図３を用いて、本考案の実施の形態１に係るおにぎりの包装体の構成について説明する。
図１は、おにぎりの包装体の構成品を表す図である。
包装体は基本的に、外装フィルム１、第一の内装フィルムである左内装フィルム２、および、第二の内装フィルムである右内装フィルム３を有す。
【００２１】
外装フィルム１は、例えば、縦２４０ｍｍ、横１６０ｍｍ程度の大きさの樹脂フィルムであり、水分を透過しにくく、且つ比較的破断しやすい素材であることが望ましい。また、形状は基本的には長方形で良いが、図１の点線で示すように、四隅に除去部１４を設けても良い。すなわち、四隅がカットされた形状にしても良い。このような形状は、おにぎりを包装しやすいと同時に、開封時の切断時に、切断経路にできるだけ、包装が無く、切断をスムースに行うことができる。
【００２２】
外装フィルム１には、その短手方向である幅方向の中央付近に２本のカットテープ１１Ｌおよび１１Ｒが外装フィルムの長手方向の一端（図１における上端）から他端（図１における下端）に渡って貼着されている。２本のカットテープ１１Ｌおよび１１Ｒは、切断帯体の役割をなすため、外装フィルム１よりも破断しにくい材質が望ましい。
【００２３】
そして、外装フィルム１の長手方向の他端において、上記２本のカットテープのうちの１本の近傍に切り込み１２が設けられている。この切り込み１２は、後述するように、切断動作を容易にするために設けられている。
また、長手方向の上端には、２本のカットテープ１１Ｌおよび１１Ｒのそれぞれの外側に２本の切り込み１３が設けられている。この切り込み１３は、切断帯体の始点にあり、２本の指でつまむことが可能な切断帯体のタブを形成する。
【００２４】
左内装フィルム２および右内装フィルム３は、図１に示すように、長方形の外装フィルム１と長手方向長さが略同一で、且つ短手方向の長さ（幅）が短くなっている。左内装フィルム２の幅は外装フィルム１の幅の半分よりも大きめであり、例えば、１０５ｍｍ程度である。右内装フィルム３の幅は外装フィルム１の幅の半分程度かそれ以下である。
左内装フィルム２の左端は外装フィルム１の左端に、右内装フィルム３の右端は外装フィルム１の右端に、それぞれ対応する形状となっている。すなわち、外装フィルム１の四隅に除去部１４が設けられている時には、左内装フィルム２および右内装フィルム３のそれぞれの二隅に除去部２４および３４を設ける。
左内装フィルム２および右内装フィルム３は、外装フィルム１と同様に樹脂フィルムであり、水分を透過しにくい素材であることが望ましい。また、おにぎりとの接触面をなすため、開封時に抜き取り易くするために、摩擦力が小さい円滑な表面を持つ材質が良い。
【００２５】
図２は、上述した外装フィルム１、左内装フィルム２、および右内装フィルム３を用いて構成したおにぎりの包装体の上面図およびその中央付近の断面図である。３枚のフィルム１、２および３は、図２においてハッチ掛けで示した外周部が熱融着等の方法で結合された結合部４を有している。そして、左内装フィルム２と右内装フィルム３は、外装フィルム１の中央付近よりやや右側で１０ｍｍ程度重なり合うようになっている。図２において、２１は左内装フィルム２の右端であり、３１は右内装フィルム２の左端である。
【００２６】
この包装体に海苔を内包した際には、海苔の上部は、左内装フィルム２と右内装フィルム３が重なり合った状態であり、おにぎりからの蒸発する水分を通しにくく、海苔が湿りにくい構造になっている。海苔を内包する手順としては、外装フィルム１の上に海苔を置き、さらに左内装フィルム２と右内装フィルム３を順に重ねてから、図２においてハッチ掛けで示した結合部４を熱融着等の方法で結合すれば良い。
なお、海苔の代わりに、その他のシート形状の食材を内包することももちろん可能である。
【００２７】
外装フィルム１、左内装フィルム２、および右内装フィルム３の結合部４の場所については、外装フィルムの長手方向の上端と下端で異なっている。
外装フィルム１の長手方向の上端、すなわち、切断帯体の始点側においては、外装フィルム１と左内装フィルム２とが、外装フィルム１の短手方向の一端から上記２本のカットテープ１１Ｌ、１１Ｒのいずれにも達しない範囲で結合されている。同様に、外装フィルム１と右内装フィルム３とが、外装フィルム１の短手方向の他端から上記２本のカットテープ１１Ｌ、１１Ｒのいずれにも達しない範囲で結合されている。
【００２８】
一方、外装フィルム１の長手方向の下端、すなわち、切断帯体の終点側においては、外装フィルム１と左内装フィルム２とが、外装フィルム１の短手方向の一端から少なくとも近接する１本のカットテープ１１Ｌまで到達する範囲で結合されている。そして、外装フィルム１と右内装フィルム３とは、外装フィルム１の短手方向の他端から２本のカットテープ１１Ｌ、１１Ｒのいずれにも達しない範囲で結合されている。
この外装フィルム１の長手方向の下端中央付近（図２（ａ）に点線の円で示した部分）に関しては、本考案の構成の要部であるため、特に局部拡大図を図３に示している。図においては、外装フィルム１と左内装フィルム２とが、２本のカットテープ１１Ｌ、１１Ｒを含む範囲で結合されているが、少なくともカットテープ１１Ｌを含む範囲で結合することが必要である。
【００２９】
なお、前述したように、右内装フィルム３の幅が左内装フィルム２に比べて狭幅になっている理由は、外装フィルム１の長手方向の下端、すなわち、切断帯体の終点側においては、外装フィルム１と左内装フィルム２とが、外装フィルム１の短手方向の一端から少なくとも近接する１本のカットテープ１１Ｌまで到達する範囲で結合されていることに起因する。フィルムの結合方法として熱溶着を用いる場合、右内装フィルム３の左端３１がカットテープ１１Ｌや１１Ｒの付近にあると、外装フィルム１と左内装フィルム２だけではなく、右内装フィルム３も溶着されてしまうためである。したがって、結合方法として接着を用いる場合には、このような不具合は生じないため、左内装フィルム２と右内装フィルム３の幅は、従来のおにぎりの方法と同様に、同じ幅であっても良い。
【００３０】
次に、上述した構成を持つ包装体を用いて、三角おにぎりを包装する方法を説明する。
まず、三角おにぎりを包装体の内側、すなわち、左内装フィルム２と右内装フィルム３の上に寝かして配置する。配置位置は、包装体の長手方向（上下方向）の上部、幅方向の中央部であり、三角おにぎりのひとつの頂点を上方向に向けて配置する。そして、包装体の下半分を折り曲げて、おにぎりの上部に被せ、且つおにぎりの形状に沿って折り込む。さらにこの上に、包装体の最上部をおにぎりの形状に沿って折り込む。
【００３１】
上記の包装方法により、完成した包装済みのおにぎりは、図４および図５のようになる。図４で示した方が、店頭で客に見えるように配置される表側であり、図５が裏側を示している。
図５に示すように、包装は、裏側で熱融着等の接着により、２つの接着スポット５で固定される。さらに、ラベル６を貼り付ければより強固な包装が完成する。
【００３２】
次に、おにぎりを食すための開封動作について説明する。
まず、図４に示すおにぎりの表側を直視できるように、図４におけるおにぎりの左半分を左手で軽く持つ。そして、おにぎりの上部頂点にある切り込み１３により形成される切断帯体のタブを右手の２本の指でつまむ。すなわち、カットテープ１１Ｌおよび１１Ｒの始点を右手の２本の指でつまむ。そのまま、右手を矢印Ａの方向下ろして、カットテープ１１Ｌおよび１１Ｒにより、外装フィルム１をおにぎりの底辺まで切り下げる。
【００３３】
さらに、カットテープ１１Ｌおよび１１Ｒをおにぎりの底面を通して裏面へと引っ張る。裏面の下部から、カットテープ１１Ｌおよび１１Ｒを上方やや右向きに引っ張り上げる。すなわち、裏面から見た図５においては、カットテープ１１Ｌおよび１１Ｒを上方やや左向き（矢印Ｂの方向）に引っ張り上げる。
【００３４】
カットテープ１１Ｌおよび１１Ｒが終端付近に到達すると、外装フィルム１は、カットテープ１１Ｒ付近で終端まで完全に引き裂かれ、左右に２分割される。この際に、終端切り込み１２を設けておくと、よりスムース且つ確実に外装フィルム１を完全に引き裂くことができる。他方、少なくともカットテープ１１Ｌは終端付近において、外装フィルム１および左内装フィルム２と結合しているので、カットテープ１１Ｌは外装フィルム１を最後まで破断できず、カットテープ１１Ｌの終端部、外装フィルム１および左内装フィルム２はそれぞれが結合した状態にある。
【００３５】
この状態で、さらに右上方向（図５における左上方向）に右手を引き上げると、カットテープ１１Ｌの終端は、おにぎりの右半分（図５における左半分）の包装体、すなわち、外装フィルム１の左半分と左内装フィルム２を右上方向（図５における左上方向）に引っ張ることになる。そして、おにぎりの右半分（図５における左半分）の包装体は、右上方向（図５における左上方向）に引っ張られていた力により、右上方向に引き抜かれる。
以上が開封手順の第一のステップである。
【００３６】
第２のステップは、むき出しになったおにぎりの右半分を右手で持って、包装体の左半分を左手で左方向に抜く。これによって、すべての包装体がおにぎりから取り去られ、おにぎりと海苔が直接接した状態になる。
【００３７】
本考案に係るおにぎりの包装体は、上述したように、わずか２つのステップにより開封できるため、よりスピーディーにおにぎりを食することができる。特に、開封の第２のステップにおける右手の動作が、手や手首を普通に動かす人間にとって自然な動作であるため、開封作業に熟練していない者にとっても簡単に間違いなく行うことができる。
【００３８】
また、少なくともカットテープ１１Ｌの終端が外装フィルム１および左内装フィルム２と結合しているため、切断帯体がおにぎりの包装体の右半分から分離しない。したがって、包装体の廃棄が容易である。例えば、ハイキングでおにぎりを食す場合、細い切断帯体は、風によって飛ばされたりして、結果的には適切に廃棄されないことがあるが、本考案に係るおにぎりの包装体においては、このようなことは無く、環境面にも配慮した包装になっている。
【００３９】
さらに、カットテープ１１Ｌおよび１１Ｒが、外装フィルム１の長手方向の一端から他端に渡って設けられているため、量産が容易で製造コストを低減できる。この点について、詳しく説明する。量産装置においては、外装フィルム１、左内装フィルム２、および右内装フィルム３は、それぞれが長尺状のロールフィルムとして、量産装置に装着される。例えば、外装フィルム１は、中央部にカットテープ１１Ｌおよび１１Ｒが設けられた図６に示すような長尺状のフィルムがロール状に巻かれて、量産装置に装着される。量産装置においては、切断線Ｃに沿って切断され、それぞれが１枚の外装フィルム１となる。
【００４０】
カットテープ１１Ｌおよび１１Ｒが外装フィルム１の長手方向の一端から他端に渡って設けられていれば、長尺状のフィルムにカットテープ１１Ｌおよび１１Ｒを貼着する工程が容易に行える。一方、カットテープ１１Ｌまたは１１Ｒが外装フィルム１の長手方向の一端から他端に渡って設けられていない場合には、各外装フィルム１に１本づつカットテープを貼着するという面倒な工程が必要となる。
したがって、本考案に係るおにぎりの包装体は、量産が容易で製造コストを低減できるという大きな特長を有している。
【００４１】
実施の形態２．
次に、本考案の実施の形態２に係るおにぎりの包装体について、図７から図９を用いて説明する。実施の形態１と異なる点は、外装フィルムの構成である。本実施の形態における外装フィルム１Ａは、カットテープが２本では無く、広幅のカットテープ１１が１本だけ設けられている。以下、実施の形態１との相違点について詳しく説明する。
【００４２】
図７に示すように、広幅の１本のカットテープ１１が、外装フィルム１Ａの長手方向の一端から他端に渡って設けられている。
そして、図８および図９に示すように、外装フィルム１Ａの長手方向の下端、すなわち、切断帯体の終点側においては、外装フィルム１Ａと左内装フィルム２とが、外装フィルム１Ａの短手方向の一端から広幅のカットテープ１１まで結合されている。他方、外装フィルム１Ａと右内装フィルム３とは、外装フィルム１の短手方向の他端からカットテープに達しない範囲で結合されている。
【００４３】
この構成においても、実施の形態１で示したのと同じ方法でおにぎりの包装および開封を行うことができる。
おにぎりの開封動作について説明すると、カットテープ１１の幅方向において、外装フィルム１Ａと左内装フィルム２とが結合していない部分（図８におけるカットテープ１１の右側）では、外装フィルム１Ａを完全に破断できる。この際に、終端切り込み１２を設けておくと、よりスムース且つ確実に外装フィルム１Ａを完全に引き裂くことができることは、実施の形態１と同様である。他方、カットテープ１１の左側は終端付近において、外装フィルム１Ａおよび左内装フィルム２と結合しているので、カットテープ１１の左側は外装フィルム１Ａを最後まで破断できず、カットテープ１１の左側終端部、外装フィルム１Ａおよび左内装フィルム２はそれぞれが結合した状態にある。
以上のように、実施の形態１と同様、外装フィルム１Ａを左右２つに分離でき、且つ切断帯体と外装フィルム１Ａの左半分および左内装フィルム２は結合した状態にあるので、実施の形態１で示したのと同じ開封動作で開封ができる。
【００４４】
本実施の形態に係るおにぎりの包装体はこのように構成されているので、実施の形態１で示した包装体と同様の特長を有している。さらに、カットテープが１本だけで良いので、外装フィルム１Ａへのカットテープ１１の圧着工程も簡便になり、さらに製造コストを低減できる。
【００４５】
実施の形態３．
以下に、本考案の実施の形態３に係るおにぎりの包装体について、図１０から図１２を用いて説明する。実施の形態１と異なる点は、外装フィルムの構成である。本実施の形態における外装フィルム１Ｂには、２本の平行に配置したカットテープでは無く、２本のクロスしたカットテープ１１Ａおよび１１Ｂが設けられている。以下、実施の形態１との相違点について詳しく説明する。
【００４６】
図１０に示すように、Ｘ字状に２本のクロスしたカットテープ１１Ａおよび１１Ｂが、外装フィルム１Ｂの長手方向の一端から他端に渡って設けられている。
そして、図１１および図１２に示すように、外装フィルム１Ｂの長手方向の下端、すなわち、切断帯体の終点側においては、外装フィルム１Ｂと左内装フィルム２とが、外装フィルム１Ｂの短手方向の一端から少なくとも近接する１本の上記カットテープまで到達する範囲で結合されている。そして、外装フィルム１Ｂと右内装フィルム３とは、外装フィルム１Ｂの短手方向の他端から２本のカットテープ１１Ａ、１１Ｂのいずれにも達しない範囲で結合されている。
【００４７】
この構成においても、実施の形態１で示したのと全く同じ方法でおにぎりの包装および開封を行うことができる。
【００４８】
本実施の形態に係るおにぎりの包装体はこのように構成されているので、実施の形態１で示した包装体と同様の特長を有している。
【００４９】
実施の形態４．
次に、本考案の実施の形態４に係るおにぎりの包装体について、図１３を用いて説明する。実施の形態１と異なる点は、外装フィルムと２枚の内装フィルムとの結合部の場所が異なる点である。
【００５０】
図１３に示すように、外装フィルム１と右内装フィルム３との結合部は、外装フィルム１の長手方向の両端付近に限られ、図１３における右側の辺は結合していない。
このようにすることで、包装体の右側から、海苔等のシート状の食材を挿入することが可能となる。
なお、図１３における左側の辺における外装フィルム１と左内装フィルム２との結合を無くして、包装体の左側から、海苔等のシート状の食材を挿入することを可能としても良い。
あるいは、図１３における左右両側の辺における外装フィルム１と２枚の内装フィルム２および３との結合も無くし、包装体の両側からシート状の食材を挿入することを可能としても良い。
【００５１】
また、図１４に示すように、外装フィルム１の短手方向における左右両側の辺においては、外装フィルム１は２枚の内装フィルム２および３それぞれと結合し、長手方向の上側の辺においては、外装フィルム１は２枚の内装フィルム２および３それぞれと結合を無くすことで、包装体の上側からシート状の食材を挿入することを可能としても良い。
【００５２】
したがって、以上より、外装フィルム１の長手方向の両端部において、外装フィルム１が２枚の内装フィルム２および３それぞれと結合するようにすれば、左右からシート状の食材を挿入することが可能となる。あるいは、外装フィルム１の短手方向における左右両端および短手方向の下端（切断帯体の終点側）においては、外装フィルム１は２枚の内装フィルム２および３それぞれと結合するようにすれば、上端からシート状の食材を挿入することが可能となる。
【００５３】
本実施の形態に係るおにぎりの包装体はこのように構成されているので、実施の形態１で示した包装体と同様の特長を有しているとともに、シート状の食材を挿入することが容易となる。例えば、手動でシート状の食材を挿入する場合に特に向いている。
【００５４】
実施の形態５．
実施の形態１から４で示したおにぎりの包装体と、その包装体を用いて包装するに適した三角おにぎり、すなわち包装体に適合する大きさのおにぎりを作製するためのおにぎりの型を備えた包装おにぎり作製セットを提供することで、家庭でも簡単に、コンビニエンスストアー等で販売されている包装おにぎりを作ることができる。例えば、外装フィルムにキャラクター等を印刷すれば、子供が喜ぶおにぎり弁当を作ることができる。また、完全に包装されたおにぎりであるため、お弁当箱が不要となり、ハイキング等へ出かける際に荷物を減らすことができる。
【００５５】
なお、家庭でこの包装おにぎり作製セットでおにぎりを作る際には、シート状の食材を手作業で包装体に入れる必要があるので、実施の形態４で示した横から挿入可能な包装体が適している。
【符号の説明】
【００５６】
１  外装フィルム
２  左内装フィルム
３  右内装フィルム
４、４Ａ  結合部
５  接着スポット
６  ラベル
１１、１１Ａ、１１Ｂ、１１Ｌ、１１Ｒ  カットテープ
１２  終端切り込み
１３  始端切り込み
【図１】
0003196761.tif 000003
【図２】
0003196761.tif 000004
【図３】
0003196761.tif 000005
【図４】
0003196761.tif 000006
【図５】
0003196761.tif 000007
【図６】
0003196761.tif 000008
【図７】
0003196761.tif 000009
【図８】
0003196761.tif 000010
【図９】
0003196761.tif 000011
【図１０】
0003196761.tif 000012
【図１１】
0003196761.tif 000013
【図１２】
0003196761.tif 000014
【図１３】
0003196761.tif 000015
【図１４】
0003196761.tif 000016